(57)【要約】【課題】  医療用具を形成する生体データ測定用具の操作ミスや誤作動の可能性増加を防止しつつ、特許文献１の健康管理システムに比べて利便性が高められた健康管理システムを提供する。【解決手段】  生体データを測定する少なくとも一つの健康用具と、生体データを測定する少なくとも一つの医療用具と、メインパネルとを備え、メインパネルは、健康用具との間で双方向通信を行い健康用具を操作すると共に健康用具が測定した生体データを表示し、医療用具との間で医療用具からメインパネルへの一方向通信を行い医療用具が測定した生体データを表示する。【選択図】  図１
2006017559.tif 000002
【特許請求の範囲】
【請求項１】
生体データを測定する少なくとも一つの健康用具と、生体データを測定する少なくとも一つの医療用具と、メインパネルとを備え、メインパネルは、健康用具との間で双方向通信を行い健康用具を操作すると共に健康用具が測定した生体データを表示し、医療用具との間で医療用具からメインパネルへの一方向通信を行い医療用具が測定した生体データを表示することを特徴とする健康管理システム。
【請求項２】
メインパネルは、個人認証手段と、認証された個人の生体データを記憶する記憶手段とを備えることを特徴とする請求項１に記載の健康管理システム。
【請求項３】
メインパネルは、少なくとも一つの健康用具と一体であることを特徴とする請求項１又は２に記載の健康管理システム。
【請求項４】
メインパネルは、健康用具と別体であることを特徴とする請求項１又は２に記載の健康管理システム。
【請求項５】
メインパネルは、個人情報入力手段を備え、入力された個人情報がメインパネルから健康用具へ送信されることを特徴とする請求項１乃至４の何れか１項に記載の健康管理システム。
【請求項６】
医療用具の一つは尿糖測定装置であり、健康用具、医療用具、メインパネルの全てがトイレ内に配設されていることを特徴とする請求項１乃至５の何れか１項に記載の健康管理システム。
【請求項７】
健康用具は立位で使用されることを特徴とする請求項６に記載の健康管理システム。
【請求項８】
複数の健康用具を備え、メインパネルは一つの健康用具から受信した生体データを他の一つの健康用具へ送信し、他の一つの健康用具は、受信した生体データと自らが測定した生体データとを用いて、所定の生体データを算出することを特徴とする請求項１乃至７の何れか１項に記載の健康管理システム。
【発明の詳細な説明】
【技術分野】
【０００１】
本発明は、健康管理システムに関するものである。
【背景技術】
【０００２】
医療用具を形成する生体データ測定用具と健康用具を形成する生体データ測定用具とを含む複数の生体データ測定用具と、メインパネルとを備え、メインパネルは、前記複数の生体データ測定用具との間で生体データ測定用具からメインパネルへの一方向通信を行い、生体データ測定用具が測定した生体データを表示する健康管理システムが特許文献１に開示されている。
特許文献１の健康管理システムには、種々の生体データ測定用具が測定した種々の生体データを一つのメインパネルに表示できるという利点がある。
尚、本明細書において、医療用具とは、人若しくは動物の疾病の診断、治療若しくは予防に使用されること又は人若しくは動物の身体の構造若しくは機能に影響を及ぼすことが目的とされている機械器具であって薬事法施行令別表第一に記載された器具機械を言い、健康用具とは、人若しくは動物の健康に資する機械器具であって医療用具以外の機械器具を言う。
【特許文献１】特許第３０１９０８４号公報
【発明の開示】
【発明が解決しようとする課題】
【０００３】
特許文献１の健康管理システムには、メインパネルから生体データ測定用具に通信を行って生体データ測定用具を操作することができず、利便性が不十分であるという問題がある。他方、メインパネルから複数の生体データ測定用具に通信を行って複数の生体データ測定用具を操作すると、操作ミスや誤作動の可能性が増加する。生体データ測定用具が医療用具を形成する場合、操作ミスや誤作動の可能性増加は、医療用具の信頼性を失墜させ、また疾病の診断の齟齬に直結する。
本発明は上記問題に鑑みてなされたものであり、医療用具を形成する生体データ測定用具の操作ミスや誤作動の可能性増加を防止しつつ、特許文献１の健康管理システムに比べて利便性が高められた健康管理システムを提供することを目的とする。
【課題を解決するための手段】
【０００４】
上記課題を解決するために、本発明においては、生体データを測定する少なくとも一つの健康用具と、生体データを測定する少なくとも一つの医療用具と、メインパネルとを備え、メインパネルは、健康用具との間で双方向通信を行い健康用具を操作すると共に健康用具が測定した生体データを表示し、医療用具との間で医療用具からメインパネルへの一方向通信を行い医療用具が測定した生体データを表示することを特徴とする健康管理システムを提供する。
本発明に係る健康管理システムにおいては、メインパネルは、健康用具や医療用具が測定した種々の生体データを表示する機能に加えて、健康用具を操作する機能をも有する。従って、本発明に係る健康管理システムは、種々の生体データ測定用具が測定した種々の生体データを一つのメインパネルに表示できるという利点を、特許文献１の健康管理システムと同様に有するのみならず、メインパネルから健康用具を操作できるので、特許文献１の健康管理システムに比べて利便性がより高いという利点を有する。後者の利点は、システムから操作される健康用具の数が増加するのに伴って大きくなる。本発明に係る健康管理システムにおいては、メインパネルは、医療用具を形成する生体データ測定用具に対しては、当該生体データ測定用具が測定した生体データを表示する機能のみ有し、操作機能は有さない。前述の如く、医療用具は人若しくは動物の身体の構造若しくは機能に影響を及ぼすことを目的とした機械器具なので、操作ミスや誤作動があってはならない。誤作動があると医療用具の信頼性を失墜させ、また疾病の誤診の齟齬に直結する。医療用具のみをメインパネルへの一方向通信とすることにより、医療用具を形成する生体データ測定用具の操作ミス、誤作動の可能性増加は、防止される。
【０００５】
本発明の好ましい態様においては、メインパネルは、個人認証手段と、認証された個人の生体データを記憶する記憶手段とを備える。
メインパネルが、個人認証手段と、認証された個人の生体データを記憶する記憶手段とを備えていれば、本健康管理システムの使用者は、自身の測定データを自身の生体データとしてシステム内に保存できるので、便利である。
【０００６】
本発明の好ましい態様においては、メインパネルは、少なくとも一つの健康用具と一体である。
メインパネルと、少なくとも一つの健康用具とが一体であれば、健康管理システムが小型化される。
【０００７】
本発明の好ましい態様においては、メインパネルは、健康用具と別体である。
メインパネルが、健康用具と別体であれば、メインパネルの設置位置の制約が少なくなり、最も使い勝手の良い位置にメインパネルを設置することが可能になる。この結果、健康管理システムの利便性が更に向上する。
【０００８】
本発明の好ましい態様においては、メインパネルは、個人情報入力手段を備え、入力された個人情報がメインパネルから健康用具へ送信される。
個人情報がメインパネルから健康用具へ送信されれば、個々の健康用具に個人情報を入力する必要が無くなる。この結果、健康管理システムの利便性が更に向上する。
【０００９】
本発明の好ましい態様においては、医療用具の一つは尿糖測定装置であり、健康用具、医療用具、メインパネルの全てがトイレ内に配設されている。
健康管理システムが、尿糖測定装置を医療用具の一つとして備える場合、尿糖測定装置はトイレ内に配設するのが妥当であること、通信の確実性を確保する観点からメインパネルと医療用具、健康用具とを近接配置すべきであること等を勘案して、システム全体をトイレ内に配設するのが望ましい。
【００１０】
本発明の好ましい態様においては、健康用具は立位で使用される。
健康管理システム全体をトイレ内に配設する場合、健康用具は座位ではなく立位で使用するように構成するのが望ましい。便座に健康用具を組み込む必要性が無くなり、便座の構造が複雑化するのが防止される。
【００１１】
本発明の好ましい態様においては、健康管理システムは、複数の健康用具を備え、メインパネルは一つの健康用具から受信した生体データを他の一つの健康用具へ送信し、他の一つの健康用具は、受信した生体データと自らが測定した生体データとを用いて、所定の生体データを算出する。
健康用具が、自らが測定した生体データと外部から入力された生体データとを用いて、所定の生体データを算出するように構成されており、外部から入力される生体データが他の健康用具が測定した生体データである場合、前記他の健康用具からメインパネルに生体データが送信され、前記生体データがメインパネルから前記健康用具へ送信されれば、前記健康用具に生体データを手動入力する必要が無くなり、健康管理システムの利便性が更に向上する。
【発明の効果】
【００１２】
本発明に係る健康管理システムにおいては、メインパネルは、健康用具や医療用具が測定した種々の生体データを表示する機能に加えて、健康用具を操作する機能をも有する。従って、本発明に係る健康管理システムは、種々の生体データ測定用具が測定した種々の生体データを一つのメインパネルに表示できるという利点を、特許文献１の健康管理システムと同様に有するのみならず、メインパネルから健康用具を操作できるので、特許文献１の健康管理システムに比べて利便性がより高いという利点を有する。後者の利点は、システムから操作される健康用具の数が増加するのに伴って大きくなる。本発明に係る健康管理システムにおいては、メインパネルは、医療用具を形成する生体データ測定用具に対しては、当該生体データ測定用具が測定した生体データを表示する機能のみ有し、操作機能は有さない。従って、医療用具を形成する生体データ測定用具の操作ミスの可能性増加は、防止される。
【００１３】
本発明の実施例に係る健康管理システムを説明する。
【実施例１】
【００１４】
図１、２に示すように、健康管理システムＡは、医療用具である尿糖計１、血圧計２と、健康用具である体重計３、体脂肪計４と、メインパネル５とを備えている。健康管理システムＡはトイレ室Ｂ内に配設されている。
【００１５】
尿糖計１は有線式のリモコン操作部１ａと、採尿部１ｂと、センサーを有する計測部１ｃとを有している。操作部１ａは便器６の一方の側方で便器６に近接するトイレ側壁７に取り付けられ、採尿部１ｂは便器６に取り付けられ、計測部１ｃは便器６後方のキャビネット８内に配設されている。
便座に着座した被検者が操作部１ａを手動操作して計測部１ｃを起動させ、採尿部１ｂから図示しない採尿器を採尿位置まで引き出し、採尿器に尿を投入すると、尿は計測部１ｃへ送られる。計測部１ｃは、センサーを用いて尿の物理的、化学的性質を測定し、尿糖値を演算する。尿糖値は、赤外線、無線、有線等による一方向通信により、メインパネル５に送信される。
【００１６】
血圧計２は操作部２ａとセンサー２ｂとを有している。操作部２ａとセンサー２ｂとは、前記トイレ側壁７に取り付けられたカウンター９が有する収容器に収容されている。血圧計２は、尿糖計の操作部１ａの近傍に配設されている。
便座に着座した被検者が操作部２ａを手動操作してセンサー２ｂを起動させ、センサー２ｂを収容器から取り出して手首に装着し、腕をカウンター９に置くと、センサー２ｂは被検者の血圧を測定する。血圧値は、赤外線、無線、有線等による一方向通信により、メインパネル５に送信される。
【００１７】
体重計３はセンサー３ａを有している。センサー３ａは、便器６の他方の側方で便器６から離隔するトイレ側壁１０に取り付けられた手洗器１１前方のトイレ床に埋設されている。
被検者が立位で手を洗う際にセンサー３ａに乗ると、センサー３ａは被検者の体重を測定する。体重値は、赤外線、無線、有線等により、メインパネル５に送信される。
【００１８】
体脂肪計４はセンサー４ａと演算部４ｂとを有している。センサー４ａ、演算部４ｂは手洗器１１の上方に配設されている。体脂肪計４は、メインパネル５と一体に形成されている。体脂肪計４の操作部はメインパネル５が有している。
被検者が立位で手を洗う際に、メインパネル５が有する体脂肪計４の操作部を手動操作してセンサー４ａと演算部４ｂとを起動させる。被検者が体重計のセンサー３ａに乗り、体脂肪計の一対のセンサー４ａを両手で握ると、センサー４ａは被検者の電気抵抗値を測定する。体重計３からメインパネル５に送信された被検者の体重値が、赤外線、無線、有線等によりメインパネル５から体脂肪計４に送信される。体脂肪計の演算部４ｂは、センサー４ａが測定した被検者の電気抵抗値と、メインパネル５から受信した被検者の体重値と、予めメインパネル５に入力した身長、年齢、性別等の個人情報とに基づいて、被検者の体脂肪率を演算する。体脂肪率値は、赤外線、無線、有線等により、メインパネル５に送信される。
【００１９】
メインパネル５は、表示部５ａと、複数の個人認証スイッチ５ｂと、認証された個人の生体データを記憶するメモリー５ｃと、個人情報入力スイッチ５ｄと、体脂肪計４の操作部５ｅとを有している。
メインパネル５は、手洗器１１と、手洗器１１の上方でトイレ側壁１０に取り付けられた鏡１２との間に配設されて、トイレ側壁１０に取り付けられている。
被検者の尿糖値、血圧値、体重値、体脂肪率値は、表示部５ａに表示される。
被検者は、個人情報入力スイッチ５ｄを操作して年齢、性別、身長等の個人情報を入力することができる。個人情報は表示部５ａに表示される。
被検者は個人認証スイッチ５ｂの何れかを操作してメインパネル５に自身を認証させることができる。被検者は、表示部５ａに表示された個人情報と、尿糖値、血圧値、体重値、体脂肪率値等の被検者個人の生体データとを、認証された自分のデータとしてメモリー５ｃに記憶させることができる。
【００２０】
健康管理システムＡにおいては、メインパネル５は、健康用具である体重計３、体脂肪計４や、医療用具である尿糖計１、血圧計２が測定した種々の生体データを表示する機能に加えて、健康用具である体脂肪計４を操作する機能をも有する。従って、健康管理システムＡは、種々の生体データ測定用具が測定した種々の生体データを単一つのメインパネル５に表示できるという利点を、特許文献１の健康管理システムと同様に有するのみならず、メインパネル５から健康用具である体脂肪計４を操作できるので、特許文献１の健康管理システムに比べて利便性がより高いという利点を有する。後者の利点は、本実施例ではメインパネル５から操作される健康用具が一つであるため顕著ではないが、メインパネル５から操作される健康用具の数が増加するのに伴って大きくなる。
健康管理システムＡにおいては、メインパネル５は、医療用具である尿糖計１、血圧計２に対しては、これらが測定した生体データを表示する機能のみ有し、操作機能は有さない。医療用具は人若しくは動物の身体の構造若しくは機能に影響を及ぼすことを目的とした機械器具なので、操作ミスや誤作動があってはならない。誤作動があると医療用具の信頼性を失墜させ、また疾病の誤診の齟齬に直結する。医療用具である尿糖計１と血圧計２については、自前の操作部により操作することとし、測定した生体データのみをメインパネル５へ一方向通信することにより、操作ミス、誤作動の可能性増加が、防止される。
【００２１】
健康管理システムＡにおいては、メインパネル５が、個人認証スイッチ５ｂと、認証された個人の個人情報、生体データを記憶するメモリー５ｃとを有しており、被検者は、自身の測定データを自身の生体データとしてシステムＡ内に保存し、必要に応じてメインパネル５の表示部５ａに表示させることができるので、便利である。システムＡ内に保存した生体データを居室のパソコンへ送信し、測定データひいては健康状態の経時変化を居室のパソコンで確認できるようにしても良い。
【００２２】
健康管理システムＡにおいては、メインパネル５が健康用具である体脂肪計４と一体化されることにより、両者を別体とする場合に比べてシステムが小型化されている。
【００２３】
健康管理システムＡにおいては、尿糖計１はトイレ内に配設され、更に便器６に取り付けられており、使い勝手が良い。従って尿糖計１の配置は妥当である。メインパネル５と医療用具である尿糖計１、血圧計２、健康用具である体重計３、体脂肪計４が、トイレ室Ｂ内に配設され近接していることにより、メインパネル５と尿糖計１、血圧計２、体重計３、体脂肪計４との間の通信の確実性が確保されている。
【００２４】
健康管理システムＡにおいては、健康用具である体重計３、体脂肪計４を、座位ではなく立位で使用するように構成されている。この結果、便座に健康用具を組み込む必要性が無くなり、便座の構造が複雑化するのが防止されている。
【００２５】
健康用具である体脂肪計４は、自らが測定した被検者の電気抵抗値と外部から入力された被検者の体重値とを用いて、体脂肪率を算出するように構成されている。健康管理システムＡにおいては、体重計３が測定した被験者の体重値がメインパネル５に送信され、メインパネル５から体脂肪計４へ送信されるように構成したので、体脂肪計４に被検者の体重値を手動入力する必要が無くなり、システムの利便性が向上している。
【実施例２】
【００２６】
年齢、性別、身長等の個人情報と、自らが測定した生体データとに基づいて、所定の生体データを演算するように構成された健康用具、例えば肥満度計等、がメインパネル５に複数接続されている場合、個人情報スイッチ５ｄから入力された個人情報が上記健康用具へ送信されるように構成しても良い。個々の健康用具に個人情報を入力する必要が無くなる。この結果、健康管理システムの利便性が更に向上する。
【実施例３】
【００２７】
メインパネル５を、健康用具である体脂肪計４と別体にしても良い。
メインパネル５が、体脂肪計４と別体であれば、メインパネル５の設置位置の制約が少なくなり、最も使い勝手の良い位置、例えばカウンター９上に、メインパネル５を設置することが可能になる。この結果、健康管理システムの利便性が更に向上する。尚この場合、体脂肪計４の操作部は、メインパネル５ではなく体脂肪計４が有するように構成するのが望ましい。
【実施例４】
【００２８】
実施例１〜３において、生体データを測定する医療用具であって尿糖計１、血圧計２以外の医療用具をメインパネル５に接続しても良く、生体データを測定する健康用具であって体重計３、体脂肪計４以外の健康用具をメインパネル５に接続しても良い。
メインパネル５に接続される医療用具、健康用具の数は２に限定されない。
【実施例５】
【００２９】
体重計３で測定した体重を、体脂肪計４に手動入力するように構成しても良い。
【産業上の利用可能性】
【００３０】
本発明は、生体データを測定する少なくとも一つの健康用具と、生体データを測定する少なくとも一つの医療用具と、メインパネルとを備え、メインパネルは、健康用具や医療用具との間で通信を行って、測定された生体データを表示する健康管理システムに、利用可能である。
【図面の簡単な説明】
【００３１】
【図１】本発明の第１実施例に係る健康管理システムのブロック図である。
【図２】本発明の第１実施例に係る健康管理システムの機器配置を示すトイレ室の斜視図である。
【符号の説明】
【００３２】
１  尿糖計
２  血圧計
３  体重計
４  体脂肪計
５  メインパネル
６  便器
７  キャビネット
８、１０  トイレ側壁
９  カウンター
１１  手洗器
１２  鏡
【図１】
2006017559.tif 000003
【図２】
2006017559.tif 000004